(57)【要約】【課題】  支持腕に大きな荷重が加わっても、支持腕に大きな捩れが生じることのない軒樋吊具を提供する。【解決手段】  建物の被固定面に取り付けられる取付部１１と、この取付部１１の前面に突設された支持腕１２とを備え、支持腕１２基端の係合片１５と取付部１１の後耳受部１４とで軒樋２０の後側耳部２１を支持するとともに、支持腕１２先端の前耳受部１６で軒樋２０の前側耳部２２を支持することにより、軒樋２０を建物の軒先に固定する軒樋吊具１０であって、支持腕１２は、その縦断面形状が開放端側を下にした略コ字状である。【選択図】        図４
2005344281.tif 000002
【特許請求の範囲】
【請求項１】
建物の被固定面に取り付けられる取付部と、この取付部の前面に突設された支持腕とを
備え、前記支持腕の基端と前記取付部とで軒樋の後側耳部を支持するとともに、前記支持
腕の先端で前記軒樋の前側耳部を支持することにより、前記軒樋を前記建物の軒先に固定
する軒樋吊具であって、
前記支持腕は、その縦断面形状が開放端側を下にした略コ字状であることを特徴とする
軒樋吊具。
【請求項２】
前記略コ字状断面は、開放端側が上部の閉塞端側よりも広くなっていることを特徴とす
る請求項１に記載の軒樋吊具。
【発明の詳細な説明】
【技術分野】
【０００１】
本発明は、建物の軒先に軒樋を固定する際に用いられる軒樋吊具に関する。
【背景技術】
【０００２】
従来、軒樋吊具には種々のものがあるが、これらに共通する点は、建物の外壁や鼻隠し
板に釘やビスで取り付けられる取付部と、この取付部の前面に突設され軒樋を支持する支
持腕とを備えていることである。
【０００３】
たとえば、図５に示した軒樋吊具１は、建物の被固定面に取り付けられる取付部２と、
この取付部２の前面に突設された支持腕３とを備えている。取付部２の前面には後耳受部
２Ａが突設され、この後耳受部２Ａに対向して支持腕３の基端には板ばね３Ａが設けられ
ている。また、支持腕３の先端には、上方へ突出した前耳受部３Ｂが設けられている。
【０００４】
支持腕３は、図６に示すように、縦断面形状がＩ字状（又はＨを横にした形状）に形成
されている。なお、図６は図５のＡ−Ａ線に沿った断面図である。
【０００５】
一方、図７は軒樋４の縦断面である。軒樋４には、図７に示すように、軸方向（紙面垂
直方向）に沿って一方のサイドに後側耳部４Ａが、他方のサイドに前側耳部４Ｂがそれぞ
れ形成されている。
【０００６】
そして、軒樋４は、その後側耳部４Ａが取付部２の後耳受部２Ａと支持腕３基端の板ば
ね３Ａとの間に嵌め込まれ、前側耳部４Ｂが支持腕３先端の前耳受部３Ｂによって支持さ
れ、これにより、軒樋４は建物の軒先に固定される（例えば、特許文献１参照）。
【特許文献１】特開平１１−３５０６７７号公報
【発明の開示】
【発明が解決しようとする課題】
【０００７】
しかしながら、上記従来の技術では、積雪等によって支持腕３に大きな荷重が加わると
支持腕３に捩れが生じるという問題がある。すなわち、支持腕３は基端が取付部２に固定
された片持ち梁であって、かつ先端の前耳受部３Ｂが軒樋４の前側耳部４Ｂを支持してい
るために、軒樋４に雪が積もると、前耳受部３Ｂ側に大きな荷重が加わり、前耳受部３Ｂ
側が垂れ下がる。このとき、支持腕３はその縦断面形状が図６のようにＩ字状（又はＨを
横にした形状）であるので、荷重が加わったときに真ん中のリブ３Ｃが突っ張りとして機
能し、もしリブ３Ｃの左右に加わる荷重のバランスが崩れると、リブ３Ｃが左または右に
傾き、その結果、支持腕３に捩れが生じる。そして、捩れが過大であると、支持腕３が割
れてしまう恐れがある。
【０００８】
本発明の課題は、支持腕に大きな荷重が加わっても、支持腕に大きな捩れが生じること
のない軒樋吊具を提供することにある。
【課題を解決するための手段】
【０００９】
上記課題を解決するために、請求項１に記載の発明は、建物の被固定面に取り付けられ
る取付部と、この取付部の前面に突設された支持腕とを備え、前記支持腕の基端と前記取
付部とで軒樋の後側耳部を支持するとともに、前記支持腕の先端で前記軒樋の前側耳部を
支持することにより、前記軒樋を前記建物の軒先に固定する軒樋吊具であって、前記支持
腕は、その縦断面形状が開放端側を下にした略コ字状であることを特徴としている。
【００１０】
上記構成によれば、支持腕は縦断面形状が開放端側を下にした略コ字状であるので、支
持腕の左右に加わる荷重のバランスが崩れても、それに支持腕は十分に耐えることができ
、支持腕に大きな捩れが生じるのを防ぐことができる。
【００１１】
請求項２に記載の発明は、請求項１において、前記略コ字状断面は、開放端側が上部の
閉塞端側よりも広くなっていることを特徴としている。
【００１２】
上記構成によれば、開放端側が広くなっている分だけ、支持腕の捩れに対する耐力を向
上させることができる。
【発明の効果】
【００１３】
本発明によれば、支持腕は縦断面形状が開放端側を下にした略コ字状であるので、支持
腕に大きな荷重が加わっても、支持腕に大きな捩れが生じることはない。その結果、支持
腕が割れてしまうという不具合を未然に防ぐことができる。
【発明を実施するための最良の形態】
【００１４】
以下、本発明の実施例を図面に従って説明する。
【実施例】
【００１５】
図１は本発明に係る軒樋吊具を示し、（ａ）は正面図、（ｂ）は左側面図、（ｃ）は右
側面図、（ｄ）は上面図である。図１において、１０はポリカーボネート樹脂製の軒樋吊
具であり、この軒樋吊具１０は取付部１１と支持腕１２とから構成されている。
【００１６】
取付部１１はＴ字型をなしており、その外周縁には３箇所に通孔１３が設けられ、これ
ら通孔１３に挿通される釘またはビスなどによって、建物の鼻隠し板などの被固定面に固
定される。取付部１１の前面には、その中央部に小さな突起からなる後耳受部１４が形成
されている。また、支持腕１２は、取付部１１の前面に屋外側に向かって突設され、後耳
受部１４よりも上方位置に配置されている。この支持腕１２は取付部１１と一体的に形成
されている。
【００１７】
図２は図１のＢ−Ｂ線に沿った断面図である。支持腕１２は、図２に示すように、縦断
面形状が開放端側を下にした略コ字状をなしている。そして、略コ字状断面を形成する支
持腕１２の上部壁１２Ａおよび左右の側壁１２Ｂ，１２Ｃのうち、左の側壁１２Ｂと右の
側壁１２Ｃは、下部の開放端側が互に離れるように傾斜して設けられている。すなわち、
支持腕１２は、開放端側の幅（側壁１２Ｂ下部の外面と側壁１２Ｃ下部の外面との距離）
Ｗ１が、上部の閉塞端側の幅（側壁１２Ｂ上部の外面と側壁１２Ｃ上部の外面との距離）
Ｗ２よりも広くなっている。
【００１８】
また、支持腕１２には、図１（ａ）に示すように、その基端（取付部１１に近い側）に
係合片１５が設けられている。この係合片１５は取付部１１前面の後耳受部１４に対向し
て設けられており、後耳受部１４との間には隙間が形成されている。また支持腕１２には
、その先端（取付部１１から遠い側）に、上部壁１２Ａの端部が上方に折り曲げられた前
耳受部１６が設けられている。
【００１９】
さらに、支持腕１２の上部壁１２Ａは中間部が下に凸に曲げられており、支持腕１２全
体は基端および先端側が高く、中間部が低い、いわゆる下側に反り返った形状をなしてい
る。
【００２０】
図３は、軒樋吊具１０によって建物の軒先に取り付けられる軒樋２０の縦断面図である
。軒樋２０は、図３に示すように、上部が開放された略コ字状の断面形状をなしている。
軒樋２０には、軸方向（紙面垂直方向）に沿って、一方のサイドに後側耳部２１が、他方
のサイドに前側耳部２２がそれぞれ形成されている。後側耳部２１と前側耳部２２は、軒
樋２０の本体端部を内側に折り曲げることにより、形成されている。また、前側耳部２２
の下方には凸部２３が設けられて、前側耳部２２と凸部２３との間に溝２４が軸方向に沿
って形成されている。
【００２１】
軒樋２０を軒樋吊具１０に装着した状態を図４に示す。軒樋２０を軒樋吊具１０に装着
すると、図４に示すように、軒樋２０の後側耳部２１は、支持腕１２基端の係合片１５と
取付部１１の後耳受部１４間に嵌め込まれ、係合片１５と後耳受部１４で挟持されて支持
される。また、軒樋２０の前側耳部２２は支持腕１２の前耳受部１６で支持される。この
とき、支持腕１２の前耳受部１６は、軒樋２０の前側耳部２２と凸部２３との間の溝２４
に係合し、軒樋２０の前側部分を所定の高さ位置に保持する。
【００２２】
このようにして、軒樋２０は後側耳部２１と前側耳部２２が軒樋吊具１０に支持されて
、建物の鼻隠し板などの被固定面に強固に固定される。
【００２３】
次に、本実施例における軒樋吊具１０の作用について説明する。支持腕１２は基端が取
付部１１に固定された片持ち梁であって、かつ先端の前耳受部１６が軒樋２０の前側耳部
２２を支持しているために、例えば軒樋２０に雪が積もると、前耳受部１６側に大きな荷
重が加わり、前耳受部１６側が垂れ下がる。
【００２４】
そして、もし支持腕１２の左右（つまり図２において左右）に加わる荷重のバランスが
崩れると、支持腕１２には、支持腕１２全体を左回りまたは右回りに捻じろうとする力が
作用する。
【００２５】
ところが、本実施例では、支持腕１２は縦断面形状が開放端側を下にした略コ字状であ
るので、支持腕１２に作用する前記力に十分に耐えることができ、支持腕１２に捩れが生
じるのを防ぐことができる。特に、図２に示したように、支持腕１２は開放端側の幅Ｗ１
が上部の閉塞端側の幅Ｗ２よりも広くなっているので、支持腕１２の捩れに対する耐力を
一層向上させることができる。
【００２６】
本実施例によれば、支持腕１２の縦断面形状を、開放端側を下にした略コ字状のものに
するだけでよいから、設計上および製造上の変更部分が少なく経済的である。
【００２７】
また、支持腕１２の左右の側壁１２Ｂ，１２Ｃの高さや、上下の幅Ｗ１，Ｗ２の比率を
変えることにより、支持腕１２の耐荷重（ねじりに対する耐荷重も含む）を容易に調整す
ることができる。
【００２８】
なお、本発明は、図１に示した形状の軒樋吊具１０に限らず、他の形状の軒樋吊具にも
適用可能である。
【図面の簡単な説明】
【００２９】
【図１】本発明に係る軒樋吊具を示し、（ａ）は正面図、（ｂ）は左側面図、（ｃ）は右側面図、（ｄ）は上面図である。
【図２】図１のＢ−Ｂ線に沿った断面図である。
【図３】図１の軒樋吊具に装着される軒樋の縦断面図である。
【図４】軒樋を軒樋吊具に装着した状態を示す図である。
【図５】従来の軒樋吊具の斜視図である。
【図６】図５のＡ−Ａ線に沿った断面図である。
【図７】図５の軒樋吊具に装着される軒樋の縦断面図である。
【符号の説明】
【００３０】
１０  軒樋吊具
１１  取付部
１２  支持腕
１２Ａ  上部壁
１２Ｂ，１２Ｃ  側壁
１４  後耳受部
１５  係合片
１６  前耳受部
２０  軒樋
２１  後側耳部
２２  前側耳部
【図１】
2005344281.tif 000003
【図２】
2005344281.tif 000004
【図３】
2005344281.tif 000005
【図４】
2005344281.tif 000006
【図５】
2005344281.tif 000007
【図６】
2005344281.tif 000008
【図７】
2005344281.tif 000009